(57)【要約】【課題】  装着対象物への装着作業の効率を向上することができる物体の種類識別表示装置を提供する。【解決手段】  棒状の物体として、例えば、３つの位相に区別される電線１に装着されて電線１の位相を外観の形状又は色の少なくとも何れか一方で識別可能とする識別表示部１１と、弾性変形する材料からなり識別表示部１１から左右に突出する２つの突出部１４を有し且つこれら２つの突出部１４が１巻以上の螺旋形状で設けられると共に２つの突出部１４を電線１の外周に巻き付けることで電線１に識別表示部１１を着脱自在とする巻き付け部１２とを備えたものとする。【選択図】      図１
2007074824.tif 000002
【特許請求の範囲】
【請求項１】
複数の種類に区別される棒状の物体に装着されて前記物体の種類を外観の形状又は色の少なくとも何れか一方で識別可能とする識別表示部と、弾性変形する材料からなり前記識別表示部から左右に突出する２つの突出部を有し且つ前記２つの突出部が１巻以上の螺旋形状で設けられると共に前記２つの突出部を前記物体の外周に巻き付けることで前記物体に前記識別表示部を着脱自在とする巻き付け部とを具備することを特徴とする物体の種類識別表示装置。
【請求項２】
請求項１において、前記２つの突出部のそれぞれは、２巻以上の螺旋形状で設けられていることを特徴とする物体の種類識別表示装置。
【請求項３】
請求項１又は２において、前記識別表示部は、前記物体の種類に対応して色違いで着色されていることを特徴とする物体の種類識別表示装置。
【請求項４】
請求項１〜３の何れかにおいて、前記物体の種類が３種類あり、前記識別表示部は、前記物体の種類に対応して、三角柱形状、円柱形状、四角柱形状に区別されていることを特徴とする物体の種類識別表示装置。
【請求項５】
請求項１〜４の何れかにおいて、前記識別表示部は、前記巻き付け部に対して着脱自在に設けられていていることを特徴とする物体の種類識別表示装置。
【請求項６】
請求項１〜５の何れかにおいて、前記２つの突出部のそれぞれは、耐候性ポリエチレン樹脂により形成されていることを特徴とする物体の種類識別表示装置。
【請求項７】
請求項１〜６の何れかにおいて、前記物体が電線であると共に、前記識別表示部が前記電線の種類として前記電線の位相を識別するものであることを特徴とする物体の種類識別表示装置。
【請求項８】
請求項１〜７の何れかにおいて、前記物体が電線であると共に、前記識別表示部が前記電線の種類として前記電線の電圧値を識別するものであることを特徴とする物体の種類識別表示装置。
【請求項９】
請求項７又は８において、前記巻き付け部は、活線状態の電線に対して巻き付けられるものであることを特徴とする物体の種類識別表示装置。
【発明の詳細な説明】
【技術分野】
【０００１】
本発明は、複数の種類に区別される棒状の物体に装着され、その物体の種類を外観で識別するのに用いられる物体の種類識別表示装置に関する。
【背景技術】
【０００２】
高圧電線等の電線は、位相が異なった３つの電線、具体的には、Ｒ相の電線、Ｓ相の電線、及びＴ相の電線に種別されている。また、このような電線は、外観上その殆どが同一色（黒色）であるため、電線の各位相を外観で識別することは非常に困難である。
【０００３】
このため、従来では、例えば、図６及び図７に示すように、電線の位相識別表示となる位相グリップ１００を電線に装着し、この位相グリップ１００に色を付け、この位相グリップ１００の色によって電線の各位相を識別するようにしていた。なお、図６及び図７は、背景技術に係る位相グリップを示す概略図である。
【０００４】
詳細には、この従来の位相グリップ１００は、図６（ａ）及び図６（ｂ）に示すように、略円形状に湾曲する板ばね部１０１で構成され、この板ばね部１０１は、周方向で一部が不連続となっている。すなわち、板ばね部１０１の両端部近傍は、周方向の一部、すなわち、不連続となった部分で対向している。
【０００５】
また、板ばね部１０１の一端部には、基端側より幅が狭く形成された幅狭部１０２が設けられ、板ばね部１０１の他端部には、幅狭部１０２の幅よりも幅広のスリット１０３が設けられている。このスリット１０３は、板ばね部１０１の他端部まで延設され、板ばね部１０１の他端部は、分岐した一対の爪部１０４が突出した形状となっている。
【０００６】
さらに、位相グリップ１００を構成する板ばね部１０１の両端部近傍では、板ばね部１０１を変形させていない状態において、幅狭部１０２及びスリット１０３の基端部１０１ａにて両者の間隔が最も小さくなっており、幅狭部１０２及びスリット１０３の先端部１０１ｂほど両者の間隔が大きくなっている。すなわち、位相グリップ１００は、不連続となった部分で両端部が互いに離れる方向に屈曲した形状となっている。
【０００７】
そして、このような形状の位相グリップ１００は、図７（ａ）及び図７（ｂ）に示すように、幅狭部１０２をスリット１０３に係合させて幅狭部１０２と一対の爪部１０４とを交差させ、屈曲した部分の間で電線１を挟持することで、電線１に装着されるようになっている。
【０００８】
ここで、このような位相グリップ１００の装着作業は、一般的に、停電作業、直接活線作業、又は間接活線作業の何れかで行うのが、停電作業については、近年の電子機器等の普及に伴い、経済損失が大きく、最近では許されないものとなってきている。直接活線作業は、電力需要者への電力供給を停止することなく作業を行うため、作業員にとって感電等の危険性、すなわち、作業事故の虞があり、好ましくない。間接活線作業は、直接活線作業と同様に活線状態での作業となるが、遠隔操作が可能な活線操作工具（例えば、特許文献１参照）を用いて作業が行われるため、作業事故を防ぐことができる。
【０００９】
しかしながら、このような間接活線作業では、高所での作業であり、また活線操作工具を用いて遠隔操作で位相グリップ１００を電線１へ装着するため、位相グリップ１００の落下等の危険性があり、作業性が非常に悪いという問題がある。
【００１０】
上述した従来の位相グリップ１００は、円形状に湾曲する部分で約６０ｍｍ程度であり、外形が比較的小さく、このことが電線１への装着作業に悪影響を与えている。すなわち、このように外形が比較的小さい位相グリップ１００を活線操作工具により遠隔操作で変形させて電線１に装着するのは非常に困難な作業となる。
【００１１】
【特許文献１】特開２０００−１０２１２５号公報（第１図）
【発明の開示】
【発明が解決しようとする課題】
【００１２】
本発明は上述した事情に鑑み、装着対象物への装着作業の効率を向上することができる物体の種類識別表示装置を提供することを課題とする。
【課題を解決するための手段】
【００１３】
上記課題を解決する本発明の第１の態様は、複数の種類に区別される棒状の物体に装着されて前記物体の種類を外観の形状又は色の少なくとも何れか一方で識別可能とする識別表示部と、弾性変形する材料からなり前記識別表示部から左右に突出する２つの突出部を有し且つ前記２つの突出部が１巻以上の螺旋形状で設けられると共に前記２つの突出部を前記物体の外周に巻き付けることで前記物体に前記識別表示部を着脱自在とする巻き付け部とを具備することを特徴とする物体の種類識別表示装置にある。
【００１４】
かかる第１の態様では、１巻以上の螺旋形状で形成された２つの突出部を有する巻き付け部が弾性変形する材料で形成されているので、物体への巻き付け部の巻き付け作業、すなわち、物体の種類識別表示装置（識別表示部）の装着作業の効率を向上することができる。
【００１５】
本発明の第２の態様は、第１の態様において、前記２つの突出部のそれぞれは、２巻以上の螺旋形状で設けられていることを特徴とする物体の種類識別表示装置にある。
【００１６】
かかる第２の態様では、物体に巻き付け部をより強固に巻き付けることができ、物体からの識別表示部の落下を有効に防止することができる。
【００１７】
本発明の第３の態様は、第１又は２の態様において、前記識別表示部は、前記物体の種類に対応して色違いで着色されていることを特徴とする物体の種類識別表示装置にある。
【００１８】
かかる第３の態様では、物体の種類を識別表示部の色で識別することができる。
【００１９】
本発明の第４の態様は、第１〜３の何れかの態様において、前記物体の種類が３種類あり、前記識別表示部は、前記物体の種類に対応して、三角柱形状、円柱形状、四角柱形状に区別されていることを特徴とする物体の種類識別表示装置にある。
【００２０】
かかる第４の態様では、物体の種類を識別表示部の形状で識別することができる。特に、識別表示部が物体の種類に対応して色違いで着色されている場合には、例えば、赤色の識別表示部が埃等の付着で外観上白色と識別されるような場合でも、物体の種類を識別表示部の形状で識別することができる。
【００２１】
本発明の第５の態様は、第１〜４の何れかの態様において、前記識別表示部は、前記巻き付け部に対して着脱自在に設けられていていることを特徴とする物体の種類識別表示装置にある。
【００２２】
かかる第５の態様では、識別表示部が巻き付け部から着脱可能であるので、識別表示部の形状や色を適宜変更することができる。
【００２３】
本発明の第６の態様は、第１〜５の何れかの態様において、前記２つの突出部のそれぞれは、耐候性ポリエチレン樹脂により形成されていることを特徴とする物体の種類識別表示装置にある。
【００２４】
かかる第６の態様では、物体の種類識別表示装置の長期に亘った装着が可能となり、コストを削減することができる。
【００２５】
本発明の第７の態様は、第１〜６の何れかの態様において、前記物体が電線であると共に、前記識別表示部が前記電線の種類として前記電線の位相を識別するものであることを特徴とする物体の種類識別表示装置にある。
【００２６】
かかる第７の態様では、電線の各位相に対応した識別表示部を有する物体の種類識別表示装置を該当する電線に対応付けて装着することにより、外観で電線の位相を確実に識別することができる。
【００２７】
本発明の第８の態様は、第１〜７の何れかの態様において、前記物体が電線であると共に、前記識別表示部が前記電線の種類として前記電線の電圧値を識別するものであることを特徴とする物体の種類識別表示装置にある。
【００２８】
かかる第８の態様では、電線の各電圧値に対応した識別表示部を該当する電線に対応付けて装着することにより、外観で電線の電圧値を確実に識別することができる。
【００２９】
本発明の第９の態様は、第７又は８の態様において、前記巻き付け部は、活線状態の電線に対して巻き付けられるものであることを特徴とする物体の種類識別表示装置にある。
【００３０】
かかる第９の態様では、巻き付け部（２つの突出部）が弾性変形によって引き伸ばし可能であるため、電線に巻き付け部を比較的容易に巻き付けることができる。このため、活線操作工具を用いた間接活線作業において活線状態の電線に巻き付け部を比較的容易に巻き付けることができる。
【発明の効果】
【００３１】
本発明にかかる物体の種類識別表示装置は、巻き付け部を１巻以上の螺旋形状としつつ、その巻き付け部を弾性変形する材料で形成することにより、物体への巻き付け部の巻き付け作業、すなわち、物体の種類識別表示装置（識別表示部）の装着作業の効率を向上することができるという効果を奏するものである。
【発明を実施するための最良の形態】
【００３２】
以下、本発明を一実施形態に基づいて詳細に説明する。
【００３３】
（実施形態１）
図１は、本発明の実施形態１に係る電線の位相識別表示装置の概略を示す上面図及び側面図である。図２は、本発明の実施形態１に係る電線の位相識別表示装置の概略を示す断面図である。図１及び図２に示すように、電線１の位相識別表示装置１０は、例えば、直径約２３ｍｍで約６６００Ｖ対応の高圧線である電線１に装着され、電線１の各位相（Ｒ相、Ｓ相、及びＴ相）を識別可能するものであり、本実施形態では、電線１の各位相を外観で識別可能とする識別表示部１１と、この識別表示部１１に接合されると共に電線１に巻き付けられる巻き付け部１２とで構成されている。
【００３４】
この位相識別表示装置１０の識別表示部１１は、３つの位相に区別される電線１に装着されて電線１の位相を外観の形状又は色の少なくとも何れか一方で識別可能とする部分であり、本実施形態では、図２に示すように、Ｒ相に対応する円柱形状の識別表示部１１ａと、Ｓ相に対応する三角柱形状の識別表示部１１ｂと、Ｔ相に対応する四角柱形状の識別表示部１１ｃとにそれぞれ区別されている。図１には、Ｒ相に対応する円柱形状の識別表示部１１ａを図示している。また、これら各識別表示部１１ａ〜１１ｃのそれぞれは、長手方向に貫通する貫通孔１３が形成され、全体形状が筒形状となっている。なお、本発明は、識別表示部の形状や、識別表示部の形状と電線の位相との組み合わせ等については、上述したものに限定されるものではない。
【００３５】
さらに、本実施形態では、図示しないが、各識別表示部１１ａ〜１１ｃは、電線１の３つの位相に対応して、色違いで着色され、外観で区別できるようになっている。例えば、円柱形状の識別表示部１１ａは赤色に着色され、三角柱形状の識別表示部１１ｂは白色に着色され、四角柱形状の識別表示部１１ｃは青色に着色されている。これにより、電線１の３つの位相を各識別表示部１１ａ〜１１ｃの色で識別することができる。
【００３６】
このような各識別表示部１１ａ〜１１ｃは、例えば、表面に塵や埃等が堆積した場合、外観上、例えば、赤色が白色に識別されてしまう虞がある。このような場合でも、本実施形態のように各識別表示部１１ａ〜１１ｃの形状を電線１の３つの位相に対応してそれぞれ変えることで、各識別表示部１１ａ〜１１ｃの色での識別が困難な場合でも、各識別表示部１１ａ〜１１ｃの形状での識別が可能となる。
【００３７】
また、各識別表示部１１ａ〜１１ｃの大きさ（寸法）は、外観での識別が可能な大きさであるのが好ましいが、風の抵抗によって電線１が揺らいでしまうのを有効に抑制するため、例えば、断面が円形状、すなわち、識別表示部１１ａの場合、直径約５０ｍｍの大きさとするのが好ましい。特に、本実施形態では、各識別表示部１１ａ〜１１ｃは、筒形状であるので、風が貫通孔１３を通って抜け易く、風の抵抗を受け難い構造となっている。
【００３８】
さらに、このような識別表示部１１（１１ａ〜１１ｃ）の上端部には、電線１の外周に沿って巻き付けられる巻き付け部１２が設けられている。ここで、識別表示部１１と巻き付け部１２とは、本実施形態では、両者を接着固定したが、勿論これに限定されず、識別表示部を巻き付け部に対して互いに着脱自在に設けるようにしてもよい。これにより、所定のタイミング、又は必要に応じて、識別表示部１１の形状や色を適宜変更することができる。
【００３９】
また、このような巻き付け部１２は、識別表示部１１から左右２方向に突出して設けられた２つの突出部１４を有し、これら各突出部１４のそれぞれは、１巻以上の螺旋形状で設けられている。具体的には、巻き付け部１２を構成する各突出部１４は、湾曲した形状を有しており、電線１に対して装着し易い形状となっている。
【００４０】
ここで、本発明では、巻き付け部の螺旋形状は、１巻以上、より好ましくは、２巻以上の螺旋形状とするのがよい。巻き付け部の巻数が多くなるほど、電線１に巻き付け部をより強固に巻き付けることができ、電線１からの識別表示部１１の落下を有効に防止することができるからである。本実施形態では、電線１への装着の作業効率を考慮し、図１及び図２に示すように、２巻の螺旋形状を有する巻き付け部１２とした。
【００４１】
また、巻き付け部１２を構成する各突出部１４は、弾性変形する材料で形成され、このような２つの突出部１４を形成する材料としては、例えば、ゴム材料、樹脂材料等が挙げられ、特に、耐候性を示す材料を用いるのが好ましく、本実施形態では、耐候性ポリエチレン樹脂を用いた。これにより、直射日光に晒される環境下で使用する場合でも優れた耐久性、形状安定性を発揮することができ、電線１への長期に亘った装着が可能となり、コストを削減することができる。なお、巻き付け部１２は、一方の突出部１４と他方の突出部１４とが左右２方向に突出しているが、各突出部１４のなす角を鈍角とするのが好ましい。これにより、巻き付け部１２の装着作業を簡略化することができる。
【００４２】
以下、図３〜図５を参照し、電線１への位相識別表示装置１０の装着作業について具体的に説明する。なお、図３は、本発明の実施形態１に係る位相識別表示装置の装着作業を示す概略図である。図４及び図５は、本発明の実施形態１に係る位相識別表示装置の装着作業の概略を示す要部拡大図である。
【００４３】
ここで、電線１への位相識別表示装置１０の装着作業は、例えば、図３に示すように、電柱２の電線１を保持した部分より低い所定位置に作業台３を設置し、２人の作業員Ａ及びＢがこの作業台３を足場にして活線作業工具（ホットスティック）４を操作して行う間接活線作業により実施される。
【００４４】
具体的には、まず、作業台３上の作業員Ａは、活線作業工具４によって位相識別表示装置１０の識別表示部１１を把持し、その状態で、位相識別表示装置１０を電線１に対して斜め方向に下側から接近させる。このとき、他の作業員Ｂは、作業台３上で待機状態となる（図３参照）。
【００４５】
次に、図４に示すように、図示しない作業員Ａが活線作業工具４により位相識別表示装置１０の識別表示部１１を把持して、電線の上方から見た場合、電線の軸方向（送電方向）に対して、巻き付け部１２の同一直線状の各突出部１４が交差するように配置する。
【００４６】
次いで、図５（ａ）に示すように、図示しない作業員Ａが活線作業工具４により位相識別表示装置１０の識別表示部１１を所定位置（図４に示す位置）に保持した状態で、図示しない他の作業員Ｂが活線作業工具４により位相識別表示装置１０の巻き付け部１２、すなわち、一方の突出部１４の先端部（自由端側の端部）を把持し、突出部１４の弾性変形を利用して、片側だけを電線１に巻き付ける。
【００４７】
その後、図５（ｂ）に示すように、図示しない作業員Ａが活線作業工具４により位相識別表示装置１０の識別表示部１１を把持した状態で、図示しない他の作業員Ｂが活線作業工具４により、他方の突出部１４を把持し、突出部１４の弾性変形を利用して、電線１に巻き付ける。これにより、位相識別表示装置１０が電線１に簡単に装着される。
【００４８】
このような装着作業においては、各突出部１４は、弾性変形する材料により形成されているので、活線作業工具４により把持して電線に巻き付ける際、各突出部１４が弾性変形によって引き伸ばし可能であり、電線１に巻き付けられる状態の形状が予め記憶されているため、電線１に対して巻き付け部１２を比較的容易に巻き付けることができる。すなわち、位相識別表示装置（識別表示部）の装着作業の効率を向上することができる。
【００４９】
また、電線１の各位相に対応した各識別表示部１１ａ〜１１ｃを該当する電線１に対応付けて装着することにより、外観で電線１の位相を確実に識別することができる。
【００５０】
さらに、本実施形態では、巻き付け部１２（各突出部１４）を２巻の螺旋形状としたので、電線１に巻き付け部１２をより強固に巻き付けることができ、電線１からの位相識別表示装置１０の落下を有効に防止することができる。
【産業上の利用可能性】
【００５１】
本発明は、電線の位相を識別するための用途だけでなく、例えば、電線の電圧値等を識別する標識としての用途にも適用することができる。また、装着対象物は、電線に限定されず、複数の種類に区別される棒状の物体に対しても適用可能である。
【図面の簡単な説明】
【００５２】
【図１】本発明の実施形態１に係る電線の位相識別表示装置の概略を示す上面図及び側面図である。
【図２】図１に示す位相識別表示装置のＡ−Ａ′断面図である。
【図３】本発明の実施形態１に係る位相識別表示装置の装着作業を示す概略図である。
【図４】本発明の実施形態１に係る位相識別表示装置の装着作業の概略を示す要部拡大図である。
【図５】本発明の実施形態１に係る位相識別表示装置の装着作業の概略を示す要部拡大図である。
【図６】背景技術に係る位相グリップを示す概略図である。
【図７】背景技術に係る位相グリップを示す概略図である。
【符号の説明】
【００５３】
１  電線
２  電柱
３  作業台
１０  位相識別表示装置
１１  識別表示部（Ｒ相：１１ａ、Ｓ相：１１ｂ、Ｔ相：１１ｃ）
１２  巻き付け部
１３  貫通孔
１４  突出部
【図１】
2007074824.tif 000003
【図２】
2007074824.tif 000004
【図３】
2007074824.tif 000005
【図４】
2007074824.tif 000006
【図５】
2007074824.tif 000007
【図６】
2007074824.tif 000008
【図７】
2007074824.tif 000009